(57)【特許請求の範囲】
【請求項１】
画像データを圧縮符号化する画像処理装置であって、
入力された画像データを第１の圧縮率に対応する圧縮パラメータで圧縮し、生成された符号化データを記憶手段に格納する第１の圧縮手段と、
前記第１の圧縮手段により生成された符号化データを復号し、再圧縮する第２の圧縮手段と、
前記第１の圧縮手段により生成される符号化データ量を監視し、該符号化データ量が設定値に達するか否かを判断する監視手段と、
該監視手段によって前記符号化データ量が設定値に達すると判断した場合に、
前記第１の圧縮手段に適用する圧縮パラメータを前記第１の圧縮率よりも高い第２の圧縮率に対応する圧縮パラメータに更新した後、後続して入力される画像データを該第１の圧縮手段に圧縮させ、
前記第１の圧縮手段により従前に生成された符号化データを、前記第１の圧縮率よりも高い第２の圧縮率に対応する圧縮パラメータで、前記第２の圧縮手段により再圧縮させ、
該再圧縮で得られた符号化データを、前記第１の圧縮手段に適用する圧縮パラメータを更新した後の該第１の圧縮手段により生成された符号化データとして前記記憶手段に保存させ、
前記圧縮パラメータを更新した後で前記第１の圧縮手段により生成された符号化データを、後続の符号化データとして前記記憶手段に保存させる制御手段と
を備えることを特徴とする画像処理装置。
【請求項２】
前記第１及び第２の圧縮手段に適用する圧縮パラメータは、各圧縮手段で実行する量子化処理において用いる量子化ステップであることを特徴とする請求項１に記載の画像処理装置。
【請求項３】
前記記憶手段は、第１，第２のメモリで構成され、
前記第１の圧縮手段で生成した符号化データは、第１、第２のメモリに同時に書き込まれ、
前記制御手段は、前記監視手段によって設定値に達すると判断した場合、前記第１のメモリをクリアすると共に、前記第２のメモリに格納されている符号化データを前記第２の圧縮手段で再圧縮させ、得られた符号化データを前記第１のメモリに格納することを特徴とする請求項１に記載の画像処理装置。
【請求項４】
画像データを圧縮符号化する画像処理装置の制御方法であって、
入力された画像データを第１の圧縮率に対応する圧縮パラメータで圧縮し、生成された符号化データを記憶手段に格納する第１の圧縮工程と、
前記第１の圧縮工程により生成された符号化データを復号し、再圧縮する第２の圧縮工程と、
前記第１の圧縮工程により生成される符号化データ量を監視し、該符号化データ量が設定値に達するか否かを判断する監視工程と、
該監視工程によって前記符号化データ量が設定値に達すると判断した場合に、
前記第１の圧縮工程に適用する圧縮パラメータを前記第１の圧縮率よりも高い第２の圧縮率に対応する圧縮パラメータに更新した後、後続して入力される画像データを該第１の圧縮工程に圧縮させ、
前記第１の圧縮工程により従前に生成された符号化データを、前記第１の圧縮率よりも高い第２の圧縮率に対応する圧縮パラメータで、前記第２の圧縮工程により再圧縮させ、
該再圧縮で得られた符号化データを、前記第１の圧縮工程に適用する圧縮パラメータを更新した後の該第１の圧縮工程により生成された符号化データとして前記記憶手段に保存させ、
前記圧縮パラメータを更新した後で前記第１の圧縮工程により生成された符号化データを、後続の符号化データとして前記記憶手段に保存させる制御工程と
を備えることを特徴とする画像処理装置の制御方法。
【請求項５】
コンピュータが読込み実行することで、画像データを圧縮符号化する画像処理装置として機能するコンピュータプログラムであって、
入力された画像データを第１の圧縮率に対応する圧縮パラメータで圧縮し、生成された符号化データを記憶手段に格納する第１の圧縮手段と、
前記第１の圧縮手段により生成された符号化データを復号し、再圧縮する第２の圧縮手段と、
前記第１の圧縮手段により生成される符号化データ量を監視し、該符号化データ量が設定値に達するか否かを判断する監視手段と、
該監視手段によって前記符号化データ量が設定値に達すると判断した場合に、
前記第１の圧縮手段に適用する圧縮パラメータを前記第１の圧縮率よりも高い第２の圧縮率に対応する圧縮パラメータに更新した後、後続して入力される画像データを該第１の圧縮手段に圧縮させ、
前記第１の圧縮手段により従前に生成された符号化データを、前記第１の圧縮率よりも高い第２の圧縮率に対応する圧縮パラメータで、前記第２の圧縮手段により再圧縮させ、
該再圧縮で得られた符号化データを、前記第１の圧縮手段に適用する圧縮パラメータを更新した後の該第１の圧縮手段により生成された符号化データとして前記記憶手段に保存させ、
前記圧縮パラメータを更新した後で前記第１の圧縮手段により生成された符号化データを、後続の符号化データとして前記記憶手段に保存させる制御手段
として機能することを特徴とするコンピュータプログラム。
【請求項６】
請求項５に記載のコンピュータプログラムを格納したことを特徴とするコンピュータ可読記憶媒体。
【請求項７】
画像データを圧縮符号化する画像処理装置であって、
入力された画像データを第１の圧縮率に対応する圧縮パラメータで圧縮し、生成された符号化データを記憶手段に格納する第１の圧縮手段と、
入力された画像データを第１の圧縮率より高い第２の圧縮率に対応する圧縮パラメータで圧縮し、生成された符号化データを前記記憶手段に格納する第２の圧縮手段と、
前記第２の圧縮手段により生成された符号化データを復号し、再圧縮する第３の圧縮手段と、
前記第１の圧縮手段により生成される符号化データ量を監視し、該符号化データ量が設定値に達するか否かを判断する監視手段と、
該監視手段によって前記符号化データ量が設定値に達すると判断した場合に、
前記第１の圧縮手段に適用する圧縮パラメータを前記第１の圧縮率よりも高い第２の圧縮率に対応する圧縮パラメータに更新した後、後続して入力される画像データを該第１の圧縮手段に圧縮させ、
前記第２の圧縮手段に適用する圧縮パラメータを前記第２の圧縮率よりも高い第３の圧縮率に対応する圧縮パラメータに更新した後、後続して入力される画像データを該第２の圧縮手段に圧縮させ、
前記第２の圧縮手段により従前に生成された符号化データを、圧縮パラメータを更新した後の前記第１の圧縮手段で生成された符号化データとして前記記憶手段に保存させ、
前記第２の圧縮手段により従前に生成された符号化データを、前記第２の圧縮率よりも高い第３の圧縮率に対応する圧縮パラメータで、第３の圧縮手段により再圧縮させ、
当該第３の圧縮手段で生成された符号化データを、圧縮パラメータを更新した後の前記第２の符号化手段で生成された符号化データとして前記記憶手段に保存させ、
前記圧縮パラメータを更新した後に前記第１の圧縮手段により生成された符号化データを、後続の符号化データとして前記記憶手段に保存させる制御手段と
を備えることを特徴とする画像処理装置。
【請求項８】
前記第１乃至第３の圧縮手段に適用する圧縮パラメータは、各圧縮手段で実行する量子化処理において用いる量子化ステップであることを特徴とする請求項７に記載の画像処理装置。
【請求項９】
画像データを圧縮符号化する画像処理装置の制御方法であって、
入力された画像データを第１の圧縮率に対応する圧縮パラメータで圧縮し、生成された符号化データを記憶手段に格納する第１の圧縮工程と、
入力された画像データを第１の圧縮率より高い第２の圧縮率に対応する圧縮パラメータで圧縮し、生成された符号化データを前記記憶手段に格納する第２の圧縮工程と、
前記第２の圧縮工程により生成された符号化データを復号し、再圧縮する第３の圧縮工程と、
前記第１の圧縮工程により生成される符号化データ量を監視し、該符号化データ量が設定値に達するか否かを判断する監視工程と、
該監視工程によって前記符号化データ量が設定値に達すると判断した場合に、
前記第１の圧縮工程に適用する圧縮パラメータを前記第１の圧縮率よりも高い第２の圧縮率に対応する圧縮パラメータに更新した後、後続して入力される画像データを該第１の圧縮工程に圧縮させ、
前記第２の圧縮工程に適用する圧縮パラメータを前記第２の圧縮率よりも高い第３の圧縮率に対応する圧縮パラメータに更新した後、後続して入力される画像データを該第２の圧縮工程に圧縮させ、
前記第２の圧縮工程により従前に生成された符号化データを、圧縮パラメータを更新した後の前記第１の圧縮工程で生成された符号化データとして前記記憶手段に保存させ、
前記第２の圧縮工程により従前に生成された符号化データを、前記第２の圧縮率よりも高い第３の圧縮率に対応する圧縮パラメータで、第３の圧縮工程により再圧縮させ、
当該第３の圧縮工程で生成された符号化データを、圧縮パラメータを更新した後の前記第２の符号化工程で生成された符号化データとして前記記憶手段に保存させ、
前記圧縮パラメータを更新した後に前記第１の圧縮工程により生成された符号化データを、後続の符号化データとして前記記憶手段に保存させる制御工程と
を備えることを特徴とする画像処理装置の制御方法。
【請求項１０】
コンピュータが読込み実行することで、画像データを圧縮符号化する画像処理装置として機能するコンピュータプログラムであって、
入力された画像データを第１の圧縮率に対応する圧縮パラメータで圧縮し、生成された符号化データを記憶手段に格納する第１の圧縮手段と、
入力された画像データを第１の圧縮率より高い第２の圧縮率に対応する圧縮パラメータで圧縮し、生成された符号化データを前記記憶手段に格納する第２の圧縮手段と、
前記第２の圧縮手段により生成された符号化データを復号し、再圧縮する第３の圧縮手段と、
前記第１の圧縮手段により生成される符号化データ量を監視し、該符号化データ量が設定値に達するか否かを判断する監視手段と、
該監視手段によって前記符号化データ量が設定値に達すると判断した場合に、
前記第１の圧縮手段に適用する圧縮パラメータを前記第１の圧縮率よりも高い第２の圧縮率に対応する圧縮パラメータに更新した後、後続して入力される画像データを該第１の圧縮手段に圧縮させ、
前記第２の圧縮手段に適用する圧縮パラメータを前記第２の圧縮率よりも高い第３の圧縮率に対応する圧縮パラメータに更新した後、後続して入力される画像データを該第２の圧縮手段に圧縮させ、
前記第２の圧縮手段により従前に生成された符号化データを、圧縮パラメータを更新した後の前記第１の圧縮手段で生成された符号化データとして前記記憶手段に保存させ、
前記第２の圧縮手段により従前に生成された符号化データを、前記第２の圧縮率よりも高い第３の圧縮率に対応する圧縮パラメータで、第３の圧縮手段により再圧縮させ、
当該第３の圧縮手段で生成された符号化データを、圧縮パラメータを更新した後の前記第２の符号化手段で生成された符号化データとして前記記憶手段に保存させ、
前記圧縮パラメータを更新した後に前記第１の圧縮手段により生成された符号化データを、後続の符号化データとして前記記憶手段に保存させる制御手段
として機能することを特徴とするコンピュータプログラム。
【請求項１１】
請求項１０に記載のコンピュータプログラムを格納したことを特徴とするコンピュータ可読記憶媒体。
【請求項１２】
前記設定値は、入力される画像データに相当する原稿サイズに基づいて選択されることを特徴とする請求項１または７に記載の画像処理装置。
【請求項１３】
前記設定値は、ユーザによりＧＵＩを介して設定されることを特徴とする請求項１または７に記載の画像処理装置。
【発明の詳細な説明】
【０００１】
【発明の属する技術分野】
本発明は、画像データを一定符号量以内に圧縮符号化する機能を有する画像処理装置に関するものである。
【０００２】
【従来の技術】
従来，静止画像の圧縮方式には，離散コサイン変換を利用したＪＰＥＧ方式や，Wavelet変換を利用した方式が多く使われている。この種の符号化方式は，可変長符号化方式であるので，符号化対象の画像毎に符号量が変化するものである。
【０００３】
国際標準化方式であるＪＰＥＧ方式では，画像に対して１組の量子化マトリクスしか定義できない。従って、プリスキャン無しには、符号量調整が行えず、限られたメモリに記憶するシステムで使用する場合においては、メモリオーバーを起こす危険性がある。
【０００４】
これを防止するために、予定した符号量よりオーバーした場合は、圧縮率を変更して、原稿の再読み込みを行なう方法や、予めプリスキャンによる符号量見積もりを行ない、符号量を調整するために，量子化パラメータの再設定を行なう方法などがとられていた。
【０００５】
また、プリスキャンを行う符号量制御方式として、例えば、プリ圧縮したデータを内部バッファメモリに入れ、これを伸長し、圧縮パラメータを変え、本圧縮し、外部記憶に出力する方式がある。このとき、本圧縮では、プリ圧縮よりも圧縮率を高めにすることになる。
【０００６】
また、例えば、画素ブロックごとの許容符号量を求め、符号量を減らすために、ＤＣＴ係数をｎ回レベルシフトした係数をハフマン符号化する方式が知られており、このシフト量ｎは許容符号量から決定される。
【０００７】
【発明が解決しようとする課題】
しかしながら、従来は、圧縮バッファとして、目標圧縮以上の圧縮バッファが必要となり，中間的に使うバッファのオーバーフローを防ぐには，原画のデータを記録できるほどの容量が必要となることは避けられない。
【０００８】
さらに、符号化処理を繰り返す方法では、圧縮した全データに対して、復号、再圧縮を行なう処理が入るため、連続処理のスピードがあがらないという問題がある。
【０００９】
本発明は上記従来例に鑑みて成されたものであり、１度の画像入力により、効果的に設定したサイズに収まる符号化データを生成することを可能ならしめる画像処理装置及びその制御方法及びコンピュータプログラム及び記憶媒体を提供しようとするものである。
【００１０】
【課題を解決するための手段】
かかる課題を解決するため、例えば本発明の画像処理装置は以下の構成を備える。すなわち、
画像データを圧縮符号化する画像処理装置であって、
入力された画像データを第１の圧縮率に対応する圧縮パラメータで圧縮し、生成された符号化データを記憶手段に格納する第１の圧縮手段と、
前記第１の圧縮手段により生成された符号化データを復号し、再圧縮する第２の圧縮手段と、
前記第１の圧縮手段により生成される符号化データ量を監視し、該符号化データ量が設定値に達するか否かを判断する監視手段と、
該監視手段によって前記符号化データ量が設定値に達すると判断した場合に、
前記第１の圧縮手段に適用する圧縮パラメータを前記第１の圧縮率よりも高い第２の圧縮率に対応する圧縮パラメータに更新した後、後続して入力される画像データを該第１の圧縮手段に圧縮させ、
前記第１の圧縮手段により従前に生成された符号化データを、前記第１の圧縮率よりも高い第２の圧縮率に対応する圧縮パラメータで、前記第２の圧縮手段により再圧縮させ、
該再圧縮で得られた符号化データを、前記第１の圧縮手段に適用する圧縮パラメータを更新した後の該第１の圧縮手段により生成された符号化データとして前記記憶手段に保存させ、
前記圧縮パラメータを更新した後で前記第１の圧縮手段により生成された符号化データを、後続の符号化データとして前記記憶手段に保存させる制御手段とを備える。
【００１１】
【発明の実施の形態】
以下、添付図面に従って本発明に係る実施形態を詳細に説明する。
【００１２】
図１は、実施形態における画像処理装置１００の機能ブロック構成図である。以下、同図の各部を簡単に説明する。
【００１３】
実施形態における画像処理装置１００は、イメージスキャナから画像を入力する入力部１０１を備えている。なお、入力部１０１は、ページ記述言語レンダリングなどから画像データを入力しても良いし、記憶媒体に格納された画像ファイルを読込むことで実現しても良く、場合によってはネットワークより受信するようにしても良い。
【００１４】
符号化部１０２は、入力された画像データの符号化を行なう。なお、本実施形態では、符号化方式は公知のＪＰＥＧ符号化方式を用い、８×８画素単位に相当する画像データを直交変換し、後述する量子化ステップを用いた量子化、ハフマン符号化処理を行なうものである。
【００１５】
第１のメモリ制御部１０３と第２のメモリ制御部１０５は、上記符号化部１０２から夫々に出力されてくる上記符号化データ（同じ符号化データ）を第１のメモリ１０４と第２のメモリ１０６へ格納する様に制御する。ここで、第１のメモリ１０４は、最終的に確定した（目標値以内のデータ量に圧縮し終わった）符号化データを、図１の基本構成の外部に接続されるネットワーク機器、画像出力装置や大容量記憶装置等へ出力するために、該符号化データを保持するためのメモリである。また、第２のメモリ１０６は、前記符号化データを第１のメモリ上に形成するための圧縮符号化処理を補助する作業用のメモリである。
【００１６】
カウンタ１０７は、符号化部１０２によって圧縮符号化された画像データのデータ量をカウントし、該カウント値を保持すると共に、そのカウント結果を符号化シーケンスの制御を行なう符号化シーケンス制御部１０８に出力する。
【００１７】
符号化シーケンス制御部１０８では、カウンタ１０７のカウント値がある設定値に達したかどうかを検出し、その設定値に達した（目標値を越えた）ことを検出した時にメモリ１０４内の格納済みのデータを廃棄するよう第１のメモリ制御部１０３に制御信号を出力する。上記第１のメモリ制御部１０３は、この制御信号に基づいて、メモリアドレスカウンタをクリアするか、あるいは符号化データ管理テーブルをクリアすることにより、前記格納データを廃棄する。また、このとき、符号化シーケンス制御部１０８は、第１のカウンタ１０７をゼロクリアする（入力部１０１からの入力は継続している）と共に、符号化部１０２に対して今までより、高い圧縮率で符号化を行なうよう制御する。すなわち、本装置の符号化処理で発生する符号化データのデータ量が最終的に例えば１／２になるように制御する。なお、ここでは、１／２としたが任意に設定できることは言うまでもない。
【００１８】
そして、圧縮率変更後の符号化データも、これまでと同様、第１のメモリ制御部１０３と第２のメモリ制御部１０５を経て、第１のメモリ１０４と第２のメモリ１０６に夫々格納される。
【００１９】
さらに、符号化シーケンス制御部１０８は、第２のメモリ制御部１０５に対して、これまでに第２のメモリ１０６に格納した符号化データを読み出し、符号化データ変換手段である再符号化部１０９に該符号化データを出力するよう制御信号を出す。
【００２０】
再符号化部１０９は、入力された符号化データを復号化し、データ量を減らすための再量子化等を行なった後に再び符号化処理を行ない、圧縮率が変更された符号化部１０２と同じ圧縮率のデータ量を第２のカウンタ１１０に出力する。
【００２１】
この再符号化部１０９から出力される符号化データは、第１のメモリ制御部１０３と第２のメモリ制御部１０５を経由して、それぞれ、第１のメモリ１０４と第２のメモリ１０６に格納される。
【００２２】
再符号化処理が終了したかどうかは、第２のメモリ制御部が検出する。すなわち、再符号化処理するために読み出すデータが無くなれば、再符号化処理の終了を符号化シーケンス制御部１０８に知らせる。実際には、第２のメモリ制御部１０５の読みだし処理だけでなく、再符号化部１０９の処理も終了した後に、符号化処理が完了したことになる。
【００２３】
第２のカウンタ１１０で得られるカウント値は、再符号化処理が完了した後、第１のカウンタ１０７で保持されているカウンタ値に加算される。この加算結果は再符号化処理が完了した直後における、第１のメモリ１０４内のデータ量の合計を表す。即ち、１画面分の符号化部１０２と再符号化部１０９の符号化処理が終了した時点では、上記加算後の第１のカウンタ１０７で保持されているカウンタ値は、１画面分を本装置が符号化した場合に発生した総データ量を表す（詳細は後述）。
【００２４】
符号化部１０２は、再符号化処理の終了／未終了に関わらず、符号化するべき入力部１０１からの画像データが残っている限りは符号化処理を継続して行なう。
【００２５】
カウンタ１０７のカウント値がある設定値に達したかどうかは入力部１０１から入力される１ページ分の画像データの符号化処理（符号化、再符号化）が終わるまで繰り返され、上述した符号化と再符号化の処理は、ここで得られる検出結果に応じた制御の上で実行される。
【００２６】
上記、図１の構成における処理のフローを表わすフローチャートを図８に示すが、説明を簡単にするため、簡略化した図３のフローチャートに従って先ず説明する。
【００２７】
既に説明したように、本発明の画像処理装置１００は、スキャナ等の入力部１０１から入力した１ページの画像データを所定のデータ量以下に圧縮符号化する装置である。該符号化処理を実現するために、前記入力部１０１以外に、符号化部１０２、再符号化部１０９、第１のメモリ１０４、第２のメモリ１０６等を有する。これらの機能ブロックを用い、図３に示すフローチャートに基づいて符号化処理を行なう。
【００２８】
図３のフローチャートは、大別すると、下記の３つの処理フェーズに分かれる。
（１）符号化フェーズ
（２）符号化・再符号化フェーズ
（３）転送フェーズ
上記それぞれの処理フェーズおいて、どのように画像データ、符号化データ等が流れて処理され，メモリにどのように格納されるかを視覚的に解り易く示したのが図４乃至図７である。
【００２９】
図４は、図３のフローチャートにおけるステップＳ３０３とＳ３０５に対応する符号化フェーズの初期状態を表わす。また、図５はステップＳ３０７〜Ｓ３１５に対応する符号化・再符号化フェーズの処理状態を、図６はステップＳ３１７に対応する転送フェーズの処理状態を、図７は転送フェーズ後の符号化フェーズの処理状態を表わす。以下、各フェーズについて説明する。
【００３０】
＜＜符号化フェーズ＞＞
１ページ分の画像データの符号化処理は、符号化パラメータの初期設定（ステップＳ３０１）から始まる。ここでは符号化処理する画像サイズ（スキャナ等の入力部１０１から読み取る用紙サイズ）から一意的に定まる符号化データ量の上限値や符号化部１０２（本実施形態では公知のＪＰＥＧ符号化方式を用いるものとする）に適用する量子化ステップ（Ｑ１）といったパラメータを設定する。
【００３１】
そして、ステップＳ３０３にて、第１のカウンタ１０７は、実際の符号化処理（画像の８×８画素単位にＪＰＥＧ圧縮）を行ない、出力される符号化データのデータ量を累積カウントする。
【００３２】
次にステップＳ３０５にて、該データ量のカウント値が上記上限値をオーバーしたかどうかを検知し、オーバーしていなければステップＳ３０３のＪＰＥＧ符号化処理を継続する。これが初期状態の符号化フェーズである。
【００３３】
符号化部１０２から出力する符号化データは、図４に示すように第１のメモリ１０４と第２のメモリ１０６の両方に格納されていく。縦縞で示した領域が該格納した符号を表現している。
【００３４】
＜＜符号化・再符号化フェーズ＞＞
符号化部１０２の符号化処理が進行し、前記データ量のカウント値が設定されている上限値をオーバーすると、ステップＳ３０７にて、第１のメモリ１０４内の符号化データを廃棄すると共に、ステップＳ３０９にて、符号化部１０２の量子化ステップをＱ２に変更する。
【００３５】
符号化データのデータ量のカウント値が設定された上限値をオーバーするという事は、圧縮後のデータ量が目標値以内に収まらないことを意味する。よって同じ量子化ステップを用いて符号化処理を継続しても意味が無いので、前よりもデータ量が少なくなるように、Ｑ１よりも量子化ステップ幅の大きい量子化ステップＱ２に変更するわけである。
【００３６】
量子化ステップを変更した後、ステップＳ３１１では符号化部１０２の符号化処理を再開し、図５に示すように符号化データを第２のメモリ１０６のみに格納する。それと並行して、ステップＳ３１３の再符号化処理を行なう。再符号化処理では、第２のメモリ１０６に格納済みの符号化データを読み出して、再符号化部１０９にて再符号化処理を行ない、前記２つのメモリ１０４、１０６に格納する。そして、縦縞▲１▼の符号を全て再符号化するまで、該符号化処理と再符号化処理を継続する。再符号化部１０９から出力される再符号化データは、量子化ステップ変更後に符号化部１０２から出力される符号化データと同じ量子化ステップで符号化して得られる符号化データと全く同一の符号化データである。
【００３７】
具体的にこの再符号化処理では、符号化データを一旦ハフマン復号した後の各量子化値に対して、これら値を２nで割った結果と同様の結果が出るビットシフト処理を施した後、再度ハフマン符号化を行なうことにより実現される。この方法は、ビットシフトのみで量子化ステップを変更する点と逆直交変換や再直交変換処理を行なわない点で、高速な再符号化処理が可能である。ステップ３１５では、再符号化処理の終了検知が行なわれる。
【００３８】
再符号化後のデータ量は再符号化前の符号化データのデータ量よりも少なくなるので、図５に示すように、再符号化前の符号を格納していたメモリ領域に再符号化後の符号化データを上書きするように格納することができる。再符号化処理が終了した時点で、縦縞▲１▼の符号化データのデータ量は図６に示すの斜め縞▲１▼の符号化データのデータ量へと減少する。
【００３９】
以上で説明したステップＳ３０７〜３１５が、符号化・再符号化フェーズで行なう処理である。
【００４０】
＜＜転送フェーズ＞＞
再符号化処理が終了したら、ステップＳ３１７では転送処理が行なわれる。該転送処理では、図６に示すように、符号化・再符号化フェーズで第２のメモリ１０６のみに格納した斜め縞▲２▼の符号化データを、第１のメモリ１０４内の斜め線▲１▼の符号化データに連結されるアドレスに転送し、格納する。その一方で、第２のメモリ１０６上で分散してしまっている斜め縞▲１▼の符号化データと斜め縞▲２▼の符号化データが第１のメモリ１０４上で連続して格納される様に、前記斜め縞▲２▼の符号化データを第２のメモリ１０６内で転送し、連結させる。これが、転送フェーズで行なう処理である。
【００４１】
上記転送フェーズが終了したら、ステップＳ３０３、Ｓ３０５の符号化フェーズに戻り、図７に示すように斜め縞▲４▼の符号を符号化部１０２から出力して２つのメモリ１０４，１０６に格納する。この符号化フェーズは、初期状態の符号化フェーズ（図４）と少し異なり、符号化部１０２で符号化する際の量子化ステップがＱ１からＱ２に変更されていると共に、２つのメモリ１０４，１０６に格納されている符号化データも様々なフェーズで処理された符号の集まりである。それらの違いを無視すれば、転送フェーズ直後の符号化フェーズと初期状態の符号化フェーズは、同じと見なせる。
【００４２】
よって、符号化フェーズ、符号化・再符号化フェーズと転送フェーズの３つを繰り返すことで、最終的に１ページの画像データをデータ量設定値以下に圧縮した符号を第１のメモリに格納することが出来る。しかも、入力部１０１は一連の処理が終わるまで、入力を継続するだけである。すなわち、画像を再度最初から入力し直すということが無くなる。
【００４３】
図３に示したフローチャートは、説明が理解しやすいように、図４、図５、及び、図６に示した各フェーズに対応する処理のみを記述した。しかしながら実際には、１ページの画像データの入力はどこかのフェーズで終了する。従って、どのフェーズで終了したかによって、それ以降の対応も多少異なる。それを考慮した流れを示したのが図８のフローチャートである。図８のフローチャートは、１ページ分の画像データの入力完了と図３で説明した各種処理との関係を考慮したものであり、ここでは図３のフローチャートに、ステップＳ８０１、Ｓ８０３、Ｓ８０５、Ｓ８０７を追加している。
【００４４】
ステップＳ８０１、Ｓ８０３、Ｓ８０５は、それぞれ、符号化フェーズ、符号化・再符号化フェーズ、転送フェーズにおいて、入力部１０１からの１ページ分の画像データの入力が終了したことを検知する。
【００４５】
符号化フェーズと転送フェーズで１ページ分の画像データの入力が終了したことを検知した場合（ステップＳ８０１、Ｓ８０５）、ステップＳ８０７へ移り、当該ページの圧縮符号化処理を終了し、次に処理すべき１ページ以上の画像データがあれば、次の１ページ分の画像データの圧縮符号化処理を開始し、無ければ停止状態に入る。
【００４６】
一方、符号化・再符号化フェーズで１ページ分の画像データの入力終了を検知した場合（ステップＳ８０３）には、符号化部１０２では再符号化処理する画像データが無くなるまで一旦動作を止める必要があるので、ステップＳ３１１の符号化処理をパスし、ステップＳ３１３で、今までに符号化部１０２で符号化済みの画像データを所定の符号化データ量に抑える為の再符号化処理のみを継続して行なう。再符号化処理が全て終了して、その後の転送処理が終わらないと、１ページ分の画像データ全体の符号化データが第１のメモリ上に集まらないため、１ページ分の画像データの入力終了後も再符号化処理及びそれに続く転送処理は継続して行われる必要がある。この場合には、ステップＳ３１５にて、再符号化処理が全て終了したことを検知すると、符号化・再符号化フェーズ中に、第２のメモリ１０６のみに格納された符号化データを第１のメモリに転送し（ステップＳ３１７）た後、次のステップＳ８０５にて、１ページ分の画像データの入力終了が検知されてステップＳ８０７へ移ることになる。
【００４７】
以上が実施形態における動作であり、図８の動作説明でもある。
【００４８】
＜メモリ格納方法の変形例＞
図９、図１０は図５、図６の概念図で示したメモリ格納方法の変形例を示す図である。
【００４９】
図５の概念図においては、符号化・再符号化フェーズでは、符号化部１０２から出力する符号化データは第２のメモリ１０６のみに格納していたが、図９に示すように符号化・再符号化フェーズ中に、符号化部１０２から出力する符号化データを第１、第２メモリの両方に直接格納する。
【００５０】
符号化部１０２から見ると、どのフェーズで符号化して出力する符号化データも両方のメモリへ格納することになる。また、図６の概念図とは異なり、図１０に示す様に、転送フェーズでメモリ間のデータ転送が必要なくなる。またこの変形例の場合には、符号化・再符号化フェーズにおいて、符号化データと再符号化データを第１のメモリ１０４へ送った順序で順次格納される。そのため２種類のデータが入り混じってしまうという問題は有る。
【００５１】
従って、この変形例の場合にはこれに対応する為に符号化データをある単位で区切って、ファイル或いはパケットとして管理する様にする。具体的には、ファイル管理テーブル、或いは、パケット管理テーブル等を別に作成して管理する。
【００５２】
一つの手法としては、符号化部１０２からのデータを第１メモリ１０４に格納する際、適当な単位（例えば前記直交変換の単位が８×８のブロックであるので、８×ｉ（ｉ＝１、２…の整数）ライン分のデータ）毎に、画像データの先頭から管理番号を割り当て、各管理番号に対応する符号化データの格納先頭アドレスと該符号化データ量とを、管理番号順に格納できるような管理テーブルを作成する。
【００５３】
符号化部１０２や再符号化部１０９は処理中のデータの管理番号を保持し、該管理番号に基づいて、符号化データ格納時の先頭アドレスと符号化データ量とを管理テーブルに書き込む。このようにすれば、符号化部１０２と再符号化部１０９で処理した符号化データをランダムに格納したとしても、前記管理テーブルを管理番号順にアクセスし、その時読み出させる先頭アドレスと符号化データ量に基づいて、符号化データを第１メモリ１０４から読み出せば、画像の先頭から順番に符号化データを読み出すことができる。このような管理機構を設ければ、画像上で連続するデータをメモリ上で連続するように格納する必要性が無くなる。
【００５４】
図１０の概念図における転送フェーズ後の符号化フェーズは、これまで説明した２つの符号化フェーズ（図４、図７）とほとんど同じであり、第１のメモリ内における符号の格納状態が図１１に示した様に若干異なるだけである。よって、先の説明と本変形例は、３つのフェーズを繰り返して処理することに変わりは無い。
【００５５】
＜第２の実施形態＞
以下、本発明において特徴的な符号化処理を行なう為の、第２の基本構成を図２を用いて説明する。
【００５６】
図２は、第２の実施形態における画像処理装置２００のブロック構成図である。
【００５７】
図１の画像処理装置１００と大きく異なる点は、最初に符号化を行なう符号化部が２つ並列に存在する点である。画像処理装置２００は、入力部２０１から入力される画像データを、第１の符号化部２０２と第２の符号化部２０５で並行して符号化し、互いに圧縮率の異なる２種類の符号化データを生成する。本実施形態においても、符号化方式は公知のＪＰＥＧ符号化方式を用い、８×８画素単位に相当する画像データを直交変換し、後述する量子化ステップを用いた量子化、ハフマン符号化処理を行なうものである。
【００５８】
なお、本第２の実施形態では第１の符号化部２０２よりも、第２の符号化部２０５の方が適用する圧縮率を高く設定する場合について説明する。具体的には、第１の符号化部２０２における量子化ステップをＱ１、第２の符号化部２０５の量子化ステップをＱ２（＝２×Ｑ１）とする。
【００５９】
符号化部２０２から出力される符号化データは、第１のメモリ制御部２０３を経由して、第１のメモリ２０４に格納される。このとき、第１のカウンタ２０８は、符号化部２０２から出力される符号化データのデータ量をカウントし、これを保持すると共に、符号化シーケンス制御部２０９にも出力する。
【００６０】
一方、符号化部２０５で符号化された符号化データは、第２のメモリ制御部２０６を経由して、第２のメモリ２０７に格納される。このとき、第２のカウンタ２１０は、符号化部２０５から出力される符号化データのデータ量をカウントし、これを保持する。更に、後述する第２のメモリ２０７に格納している符号化データを第１のメモリ２０４に転送する時には、それと同時に上記カウント値を、第１のカウンタ２０８に転送する。
【００６１】
さて、第１のカウンタ２０８が符号化部２０２から出力される符号化データのデータ量をカウント中に、該カウント値がある設定値に達した時には、符号化シーケンス制御部２０９は、第１の実施形態と同様、メモリ制御部２０３に対してメモリ２０４に格納されているデータを廃棄するよう制御信号を出す。
【００６２】
そして、符号化シーケンス制御部２０９は、第２のメモリ２０７に格納している符号化データを読み出して第１のメモリ２０４に転送し、第１のメモリ２０４に格納するよう、メモリ制御部２０６とメモリ制御部２０３に制御信号を出力する。この結果、第２のカウンタ２１０のカウント値が第１のカウンタ２０８に転送され、その値が第１のカウンタのカウント値としてロード（上書き）される。
【００６３】
要するに、上記第２のカウンタ２１０のカウント値は、第２のメモリ２０７に格納している符号化データのデータ量を表わしているので、そのカウント値と符号化データを、互いの対応付けが変わらない様に、そのまま第１のカウンタと第１のメモリへコピーしたと考えれば良い。
【００６４】
さらに、符号化シーケンス制御２０９は、第１の符号化部２０２および、第２の符号化部２０５に対して、今までよりも、符号化データが少なくなるような符号化を行なうように制御信号を出す。
【００６５】
例えば、第１の符号化部２０２、及び、第２の符号化部２０５における量子化ステップＳを２倍に切り替えす。この結果、第１の符号化部２０２は、その直前までの第２の符号化部２０５における量子化ステップＱ２（＝２×Ｑ１）を継承することになり、第２の符号化部２０５は更に大きな量子化ステップＱ２×２を用いて、次のオーバーフローに備えた更に高い圧縮率の符号化処理を行うことになる。
【００６６】
ここでは、量子化ステップの倍率比を２倍としたがこれに限らず、任意に設定できることは示すまでもない。切り替えられた各符号化部２０２、２０５から出力された符号化データは、それぞれ、対応するメモリ制御部２０３、２０６を経由して、対応するメモリ２０４、２０７に格納される。
【００６７】
そして、符号化シーケンス制御２０９は、メモリ制御部２０６に対し、既に第２のメモリ内に格納している符号化データを読み出して、再符号化部２１１にデータを送るよう制御信号を出す。再符号化部２１１は、図１の再符号化部１０９と同様にして符号化データの再符号化処理を行なう。
【００６８】
第３のカウンタ２１２は、再符号化部２１１が出力したデータ量をカウントするもので、再符号化処理を開始する直前にゼロにリセットされ、再符号化処理中の出力データ量をカウントする。このカウンタ２１２は、再符号化処理が終了した時点で、そこで得られたカウント値を第２のカウンタ２１０に転送する。
【００６９】
第２のカウンタ２１０は、上記転送されてきたデータ量カウント値を、第２のカウンタ２１０内に保持しているカウンタ値に加算することにより、再符号化処理中にメモリ２０７に格納した、符号化データと再符号化データの合計のデータ量を算出する。即ち、メモリ２０７に格納しているデータ量とカウンタ２１０のカウント値とが一致する。
【００７０】
再符号化処理の終了／未終了に関わらず、符号化するべき入力部２０１からの画像データが残っていれば、２つの符号化部２０２と２０５による符号化処理を継続して行なう。そして、カウンタ２０８のカウント値がある設定値に達したかどうかの監視は入力部２０１から入力される１ページ分の画像データの符号化処理（符号化、再符号化）が終わるまで繰り返され、上述した符号化と再符号化の処理は、ここで得られる検出結果に応じた制御の上で実行される。
【００７１】
上記図２の構成における処理のフローを表わすフローチャートを図１２に示す。
【００７２】
図２で説明したように符号化部が２つある場合は、図１２に示すフローチャートに基づいて１ページ分の画像データの符号化を行なう。なお、図１２の説明は、符号化部が１つの場合のフローチャートである図８とは、大半は類似しており、当業者であれば上記説明から本第２の実施形態の特徴は十分に理解できるであろうから、符号化部１つの場合と同じように３つのフェーズで処理を説明する様にし、図８と異なる点を主に説明することとする。
【００７３】
上述した図８のフローと本実施形態のフローとの一番大きな違いは、ステップＳ３１７の転送処理が、ステップＳ３０７とステップＳ３０９の間に移動していることである。要するに、符号化・再符号化フェーズと転送フェーズが入れ替わったと見なせば良い（ステップＳ３０７の符号化データの廃棄処理は例外である）。
【００７４】
ステップＳ３０１の符号化パラメータの初期設定では、第１の符号化部２０２に量子化ステップＱ１を、第２の符号化部２０５には量子化ステップＱ２（＝２×Ｑ１）を設定する。
【００７５】
符号化フェーズでは、ステップＳ８０１、Ｓ３０３、Ｓ３０５を繰り返し実行する。ステップＳ８０１とステップＳ３０５は符号化部が１つの場合と同じ処理であるが、ステップＳ３０３の符号化処理だけは図１３に示すように異なっている。
【００７６】
第１のメモリ２０４へ格納する符号化データは圧縮率が段階的に高くなるようにするため、最初に格納する符号化データは圧縮率が一番低い量子化ステップＱ１で符号化したデータを格納し、第２のメモリへ格納する符号化データは量子化ステップＱ２で符号化したデータを格納する。
【００７７】
第１のメモリ２０４へ格納中のデータ量が設定されている上限値をオーバーしたら（ステップＳ３０５）、直ちに、第１のメモリ２０４で保持していた符号化データを廃棄し（ステップＳ３０７）、第２のメモリ２０７で保持している圧縮率の高い符号化データを、第１のメモリ２０４へ転送する（ステップＳ３１７、図１４参照）。これにより、第１の実施形態（図１）で説明した１回目の再符号化処理の終了を待たずに、速やかに、上限値をオーバーしない適切な２番目の候補の符号化データを第１のメモリ２０７内に格納出来る。これが、図１に対する、２つの符号器を持つ図２を適用することの最大の利点である。
【００７８】
本第２の実施形態では、２つのメモリ２０４、２０７で同じ圧縮率の符号化データを持っていることが無駄という考え方なので、第２のメモリ２０７には、第１のメモリ２０４に格納する符号化データよりも圧縮率の高い符号化データを格納しておくようにしている。従って、それ以降の処理もこの考え方に基づき行われるものであり、第２のメモリ２０７内の符号化データを第１のメモリ２０４に転送する処理（転送フェーズ）が終了した後は、第２のメモリ２０７の符号化データを、更に１段階圧縮率の高い符号化データを保持する様に再符号化することとなる。
【００７９】
具体的には、まず図１５に示す様に、転送フェーズの次の符号化・再符号化フェーズでは、上記再符号化の前に、２つの符号化部２０２，２０５に適用される各量子化ステップＱ１、Ｑ２をそれぞれＱ２、Ｑ３へ変更し（ステップＳ３０９）、１ページの画像データの入力が終了せずに続いていれば（ステップＳ８０３）、後続の画像データは新たな量子化ステップが設定された２つの符号化部で該入力データを符号化して（ステップＳ３１１）、対応する各メモリ２０４，２０７へ格納する。そして、上記符号化処理と並行して第２のメモリに格納されている符号化データ（第１のメモリ２０４に転送したもの）は、第１のメモリ内の符号化データよりも１段階高い圧縮率の符号化データに変更するべく、再符号化部２１１にて量子化ステップＱ３を用いて符号化されたデータが得られる様な再符号化処理（Ｓ３１３）を行ない、再符号化データを第２のメモリ２０７に格納し直す。
【００８０】
なお、本第２の実施形態でも、第１の実施形態と同様、再符号化処理では、符号化データを一旦ハフマン復号した後の各量子化値に対して、これら値を２nで割った結果と同様の結果が出るビットシフト処理を施した後、再度ハフマン符号化を行なうことにより実現される。この方法は、ビットシフトのみで量子化ステップを変更する点と逆直交変換や再直交変換処理を行わない点で、高速な再符号化処理が可能である。
【００８１】
なお、本第２の実施形態の様に符号化部が２つ有る場合には、図１５に示したように、第２のメモリ２０７に符号化データと再符号化データを混在して格納する状況が発生する。従って、前述したように、符号化データをある単位で区切って、ファイル或いはパケットとして管理することが、第２のメモリ２０７に対しても必要になる。その為には、例えば第１の実施形態における変形例と同様の構成を設ければ良いであろう。
【００８２】
図１２において、再符号化処理の終了をステップＳ３１５で検知したら、また符号化フェーズ（ステップＳ８０１、Ｓ３０３）に移行する。なお、符号化・再符号化フェーズ後の符号化フェーズでは、図１６に示すように、２つのメモリ２０４，２０７が保持する符号化データは圧縮率が違うだけでなく、符号化データの混在の仕方（アドレス）もかなり違ってくる。従って、再度、第１のメモリ２０４のデータ量が設定値をオーバーした場合には、第２のメモリ２０７で保持されている符号化データ（▲６▼＋▲８▼の横縞の領域の符号）が第１のメモリ２０４へ転送される必要が出てくる。これらを考慮すると、第２のメモリ２０７だけでなく、第１のメモリ２０４でも符号化データをファイル或いはパケットとして管理する必要がある。よって、第１のメモリ２０４にも前述の管理テーブルを用いた管理機構が必要となる。
【００８３】
図１６に示された符号化フェーズの状態は、量子化ステップと符号化データの混在の仕方が、再符号化処理の前後で異なっていること以外は、初期状態の符号化フェーズ（図１３）と同じである。よって、符号化フェーズ、転送フェーズと符号化・再符号化フェーズを繰り返すことで、最終的に、１ページ分の画像データを設定した上限値以下に圧縮した符号化データを確実に第１のメモリ２０４に格納することが出来る。
【００８４】
なお、第１の実施形態の説明とは、転送フェーズと符号化・再符号化フェーズの配置順が逆であることから、図８において転送処理後に行なっていた１ページ分の画像データの入力終了検知（ステップＳ８０５）は、符号化・再符号化フェーズで行なう１ページ分の画像データの入力終了検知（ステップＳ８０３）と、ほとんど同じタイミングになってしまう。また、２つの検知処理は、機能的にはステップＳ８０５と同じで、タイミング的にはステップＳ８０３と同じである、従って、これら２つのステップは、新たな１ページ分の画像データの入力終了を検知するステップとして統合し、ステップＳ１２０１と表記しておく。
【００８５】
以上説明した第１、第２の実施形態では、第１のメモリと第２のメモリは物理的に別のメモリであるとして説明をしてきた。これは、２つのメモリに対するアクセスが独立したものとすることができるので有利なためであり、本発明の特徴となす。しかしながら、第１のメモリと第２のメモリを、物理的に別のメモリとしない場合も本発明の範疇に含まれる。物理的に１つのメモリ上に、前記第１のメモリと第２のメモリに相当する２つの領域を確保して、第１のメモリを第１のメモリ領域、第２のメモリを第２のメモリ領域と言い直して、これまでの説明を読み直せば、本発明は、１つのメモリでも実現できることが分かる。
【００８６】
また、１つのメモリで上記各実施形態を実現する場合には、前記転送フェーズで説明したデータ転送処理のいくつかは不要となる。その詳細はその都度容易に想像できるので説明は省略するが、前記２つの領域を厳密に別けて使用する場合、物理的に２つのメモリを持つ時と同じようにデータ転送処理が必要であるが、２つの領域間で同じデータを共有することになれば、データ転送処理が不要になるだけでなく記憶容量の削減も図れる。
【００８７】
例えば、第２のメモリ領域で保持していた符号化データを、第１のメモリ領域へ転送する際、該符号化データが格納されている先頭アドレスとデータサイズの２つの情報を第２のメモリ制御部から第１のメモリ制御部へ転送するだけで、前記符号化データを転送したのと同じ効果が得られる。
【００８８】
前記符号化データを、ファイル形式やパケット形式で格納している場合は、メモリ制御部の間で転送する情報は少し増え、該符号化データに関連する管理テーブル情報を転送する必要がある。それでも、符号化データを転送するよりは、効率が良い。
【００８９】
＜適用例＞
上記第１、第２の実施形態では、イメージスキャナから画像を読み取る装置を例にし、その装置の機能動作について説明した。そして、その機能のほとんど（符号化処理も含む）は、上述した様にコンピュータプログラムによって実現できる。
【００９０】
従って、本発明はパーソナルコンピュータ等の汎用情報処理装置上で動作するアプリケーションプログラムに適用しても構わない。アプリケーションプログラムに適用する場合には、圧縮元となる画像ファイルをユーザに指定させると共に、目標サイズをユーザに選択させる等のＧＵＩを設ければ良いであろう。このときの目標値は、ユーザーが任意に設定できるものとするが、数値での設定はわかりずらいので、原稿サイズと画質（高中低等）を加味した直感的に分かりやすいメニューから選択させることで、決定するようにすれば良いであろう。
【００９１】
また、第１、第２の実施形態では、符号化部の符号化パラメータとして量子化ステップを例にして説明したが、圧縮率の異なるデータが混在した際に、それらの間での画質が違和感が発生しないようにする限りは、他のパラメータを用いても良い。但し、例えば、図１の構成においては、再符号化部１０９からの再度符号化するデータが、パラメータ変更後の符号化部１０２からの符号化データと実質的に同じにするには、上記実施形態に示す如く、量子化ステップを増加する手法が好ましい。
【００９２】
また、上記の通り、本発明は、汎用装置上で動作するアプリケーションプログラムによって実現できるものであるので、本発明はコンピュータプログラムをも含むものである。また、コンピュータプログラムは、通常、フロッピーディスクやＣＤＲＯＭ等の記憶媒体を装置にセットしてコピー或いはインストールことで行われるので、かかる記憶媒体も本発明の範疇に当然に含まれる。
【００９３】
また、本発明は、コンピュータプログラムと適当なハードウェア（符号化回路等）の組み合わせにも適用できる。
【００９４】
以上説明したように本実施形態によれば、画像データを周波数変換した後、量子化し、可変長符号化を行なう符号化手段と、前記量子化にて利用される量子化ステップを切り替え制御する量子化ステップ制御手段と、前記符号化手段にて得られる符号化データを、該符号化データを得るのに利用された量子化ステップとは別の量子化ステップで符号化することにより得られるべき別の符号化データへと変換する、前記符号化手段とは別に設置された符号化データ変換手段と、前記符号化手段或いは、符号化データ変換手段にて得られた符号化データを少なくとも１ページ分格納する格納手段と、前記格納手段に格納された符号化データの量を監視する監視手段とを備える様にし、前記符号化データの量に応じて、前記量子化ステップ制御手段における量子化ステップの変更と、前記符号化データ変換手段の双方を連携させて制御することにより、１ページ分の画像データを所望の符号化データ量になる様にすることを１度の符号化処理により、少ない容量のメモリに確実に符号化データを格納できる。
【００９５】
【発明の効果】
以上説明したように本発明によれば、１度の画像入力により、効果的に設定したサイズに収まる符号化データを生成することが可能になる。
【図面の簡単な説明】
【図１】第１の実施形態における画像処理装置のブロック構成図である。
【図２】第２の実施形態における画像処理装置のブロック構成図である。
【図３】第１の実施形態における処理を簡略化して示したフローチャートである。
【図４】第１の実施形態における初期状態の符号化フェーズにおけるデータフローとメモリ内容を表わす図である。
【図５】第１の実施形態における符号化・再符号化フェーズにおけるデータフローとメモリ内容を表わす図である。
【図６】第１の実施形態における転送フェーズにおけるデータフローとメモリ内容を表わす図である。
【図７】第１の実施形態における転送フェーズ後の符号化フェーズにおけるデータフローとメモリ内容を表わす図である。
【図８】第１の実施形態における処理の詳細を示すフローチャートである。
【図９】第１の実施形態の変形例における符号化・再符号化フェーズにおけるデータフローとメモリ内容を表わす図である。
【図１０】第１の実施形態の変形例における転送フェーズにおけるデータフローとメモリ内容を表わす図である。
【図１１】第１の実施形態の変形例における転送フェーズ後の符号化フェーズにおけるデータフローとメモリ内容を表わす図である。
【図１２】第２の実施形態における処理手順を示すフローチャートである。
【図１３】第２の実施形態における初期状態の符号化フェーズにおけるデータフローとメモリ内容を表わす図である。
【図１４】第２の実施形態における転送フェーズにおけるデータフローとメモリ内容を表わす図である。
【図１５】第２の実施形態における符号化・再符号化フェーズにおけるデータフローとメモリ内容を表わす図である。
【図１６】第２の実施形態における符号化・再符号化フェーズ後の符号化フェーズにおけるデータフローとメモリ内容を表わす図である。
【図１】
0004124982.tif 000002
【図２】
0004124982.tif 000003
【図３】
0004124982.tif 000004
【図４】
0004124982.tif 000005
【図５】
0004124982.tif 000006
【図６】
0004124982.tif 000007
【図７】
0004124982.tif 000008
【図８】
0004124982.tif 000009
【図９】
0004124982.tif 000010
【図１０】
0004124982.tif 000011
【図１１】
0004124982.tif 000012
【図１２】
0004124982.tif 000013
【図１３】
0004124982.tif 000014
【図１４】
0004124982.tif 000015
【図１５】
0004124982.tif 000016
【図１６】
0004124982.tif 000017